(57)【特許請求の範囲】
【請求項１】
無線通信システムの基地局において実施され、セルラ送信におけるＤ２Ｄ帯域内干渉の影響を低減する方法であって、該方法が以下の、
第１のゾーン及び第２のゾーンを含むリソースプールとしてＤ２Ｄ発見リソースプールを構成するように、前記基地局が第１のメッセージをユーザ機器に送信するステップであって、前記第１のゾーンが限定的Ｄ２Ｄリソースゾーンであり、前記第２のゾーンが非限定的Ｄ２Ｄリソースゾーンであり、前記第１のゾーン及び前記第２のゾーンがインターリーブ配置を有する、送信するステップと、
前記基地局に通信可能な形態で接続されたユーザ機器を該ユーザ機器の仕様バージョンに従って２つのグループに分割するステップであって、第１のグループがリリース１２前の前記仕様バージョンを使用する前記ユーザ機器であり、第２のグループが、リリース１２の前記仕様バージョン又はリリース１２後の前記仕様バージョンを使用する前記ユーザ機器である、分割するステップと、
前記基地局が、前記第１のグループの前記ユーザ機器に対して構成された前記Ｄ２Ｄ発見リソースプールに対応するタイミング内の限定的ダウンリンクデータスケジューリングを実行するステップであって、それにより前記データスケジューリングのフィードバックが、非限定的Ｄ２Ｄリソースゾーンである前記第２のゾーンのサブフレーム上に送信され得る、実行するステップ、及び／又は、
前記基地局が、前記第２のグループの前記ユーザ機器に対して構成された前記Ｄ２Ｄ発見リソースプールに対応する前記タイミングにおける正常なダウンリンクデータスケジューリングを実行して前記ユーザ機器のフィードバックタイミングを調整するステップであって、正常なＡＣＫ／ＮＡＣＫフィードバックシーケンスによる前記第１のゾーンの前記サブフレーム上においてフィードバックを最も近位の次の前記第２のゾーンの前記サブフレームに送信して前記フィードバックを送信する必要がある、調整するステップと、
を備える、方法。
【請求項２】
前記第１のメッセージが、前記Ｄ２Ｄ発見リソースプールにおける前記第１のゾーン及び／又は前記第２のゾーンの前記インターリーブ配置のサブフレームの間隔及び総数を示す、請求項１に記載の方法。
【請求項３】
前記第１のメッセージが、前記Ｄ２Ｄ発見リソースプールにおける前記第１及び／又は前記第２のゾーンの開始位置を含む、請求項１に記載の方法。
【請求項４】
ＦＤＤシステムにおいて、第（ｎ＋４）のアップリンクサブフレームが前記非限定的Ｄ２Ｄリソースゾーンが位置している前記サブフレームである場合、前記基地局が、第ｎのダウンリンクサブフレーム上で送信される前記第１のグループの前記ユーザ機器の前記ダウンリンクデータを誘起する、請求項１に記載の方法。
【請求項５】
セルラ送信の前記ユーザ機器が、前記非限定的Ｄ２Ｄリソースゾーンである前記第２のゾーンの前記サブフレーム上で周波数分割多重を採用して、前記ダウンリンクデータスケジューリングの前記ＡＣＫ／ＮＡＣＫフィードバック及びＤ２Ｄユーザ機器のＤ２Ｄ信号を送信する、請求項１に記載の方法。
【請求項６】
Ｄ２Ｄ隣接発見ユーザ機器が、前記基地局によって送信されるダウンリンク基準信号測定結果及び閾値パラメータに従って、第１のタイプのユーザ機器又は第２のタイプのユーザ機器として前記ユーザ機器を特定し、
前記第１のゾーンの前記リソースが前記第１のタイプのユーザ機器に対して構成され、前記第１のタイプのユーザ機器がセルの中央に位置し、前記第１のタイプのユーザ機器が、Ｄ２Ｄ送信に対して前記第１のゾーンの前記限定的Ｄ２Ｄリソースゾーンの前記リソースをすぐに使用することができるように構成され、
第２のゾーンのリソースが前記第２のタイプのユーザ機器に対して構成され、前記第２のタイプのユーザ機器が前記セルの縁部に位置し、前記第２のタイプのユーザ機器が、Ｄ２Ｄ送信に対して前記第２のゾーンの非限定的Ｄ２Ｄリソースゾーンの前記リソースをすぐに使用することができるように構成される、請求項１に記載の方法。
【請求項７】
無線通信システムのユーザ機器において実施され、セルラ送信におけるＤ２Ｄ帯域内干渉の影響を低減する方法であって、該方法が、
第１のゾーン及び第２のゾーンを含むリソースプールとしてＤ２Ｄ発見リソースプールを構成するように、基地局から第１のメッセージを受信するステップであって、前記第１のゾーンが限定的Ｄ２Ｄリソースゾーンであり、前記第２のゾーンが非限定的Ｄ２Ｄリソースゾーンであり、前記第１のゾーン及び前記第２のゾーンがインターリーブ配置を有する、受信するステップと、
前記基地局に通信可能な形態で接続されたユーザ機器を該ユーザ機器の仕様バージョンに従って２つのグループに分割するステップであって、第１のグループがリリース１２前の前記仕様バージョンを使用する前記ユーザ機器であり、第２のグループが、リリース１２の前記仕様バージョン又はリリース１２後の前記仕様バージョンを使用する前記ユーザ機器である、分割するステップと、
前記ユーザ機器が前記第１のグループの前記ユーザ機器である場合、構成された前記Ｄ２Ｄ発見リソースプールに対応するタイミング内の限定的ダウンリンクデータスケジューリングを実行するステップであって、それにより前記データスケジューリングのフィードバックが、非限定的Ｄ２Ｄリソースゾーンである前記第２のゾーンのサブフレーム上に送信され得る、実行するステップ、及び／又は、
前記ユーザ機器が前記第２のグループの前記ユーザ機器である場合、構成された前記Ｄ２Ｄ発見リソースプールに対応する前記タイミング内で正常なダウンリンクデータスケジューリングを実行して前記ユーザ機器に対してフィードバックタイミングを調整するステップであって、それは正常なＡＣＫ／ＮＡＣＫフィードバックタイミングによる前記第１のゾーンの前記サブフレームにおけるフィードバックを最も近位の次の前記第２のゾーンの前記サブフレームに送信して前記フィードバックを送信する必要がある、調整するステップと、
を備える、方法。
【請求項８】
前記第１のメッセージが、前記Ｄ２Ｄ発見リソースプールにおける前記第１のゾーン及び／又は前記第２のゾーンの前記インターリーブ配置のサブフレームの間隔及び総数を示す、請求項７に記載の方法。
【請求項９】
前記第１のメッセージが、前記Ｄ２Ｄ発見リソースプールにおける前記第１及び／又は前記第２のゾーンの開始位置を含む、請求項７に記載の方法。
【請求項１０】
前記第２のグループに属する前記ユーザ機器の前記ダウンリンクデータが第ｎのサブフレームにおいて送信され、第（ｎ＋４）のサブフレームが、前記非限定的Ｄ２Ｄリソースゾーンが位置する前記サブフレームである場合には、前記データスケジューリングの前記フィードバックタイミングが前記データスケジューリングの前記フィードバックタイミング調整では調整されず、
前記第２のグループに属する前記ユーザ機器の前記ダウンリンクデータが前記第ｎのサブフレームにおいて送信され、前記第（ｎ＋４）のサブフレームが前記限定的Ｄ２Ｄリソースゾーンが位置する前記サブフレームであり、第（ｎ＋５）のサブフレームが前記非限定的Ｄ２Ｄリソースゾーンが位置する前記サブフレームである場合には、前記第（ｎ＋５）のサブフレームが、前記データスケジューリングの前記フィードバックタイミング調整において前記データスケジューリングの前記フィードバックを送信するために使用されるように調整される、請求項７に記載の方法。
【請求項１１】
セルラ送信の前記ユーザ機器が、前記非限定的Ｄ２Ｄリソースゾーンである前記第２のゾーンの前記サブフレーム上で周波数分割多重を採用して、前記ダウンリンクデータスケジューリングの前記ＡＣＫ／ＮＡＣＫフィードバック及びＤ２Ｄユーザ機器のＤ２Ｄ信号を送信する、請求項７に記載の方法。
【請求項１２】
Ｄ２Ｄ隣接発見ユーザ機器が、前記基地局によって送信されるダウンリンク基準信号測定結果及び閾値パラメータに従って、第１のタイプのユーザ機器又は第２のタイプのユーザ機器として前記ユーザ機器を特定し、
前記第１のゾーンの前記リソースが前記第１のタイプのユーザ機器に対して構成され、前記第１のタイプのユーザ機器が、セルの中央に位置し、Ｄ２Ｄ送信に対して前記第１のゾーンの前記限定的Ｄ２Ｄリソースゾーンの前記リソースをすぐに使用することができるように構成され、
前記第２のゾーンのリソースが前記第２のタイプのユーザ機器に対して構成され、前記第２のタイプのユーザ機器が、前記セルの縁部に位置し、Ｄ２Ｄ送信に対して前記第２のゾーンの前記非限定的Ｄ２Ｄリソースゾーンの前記リソースをすぐに使用することができるように構成される、請求項７に記載の方法。
【発明の詳細な説明】
【技術分野】
【０００１】
本発明は、無線通信の技術分野に関し、特に、基地局又はユーザ機器のセルラ送信におけるＤ２Ｄ帯域内干渉の影響を低減する方法に関する。
【背景技術】
【０００２】
ＬＴＥ  Ｄ２Ｄの研究では、ＦＤＤの場合について図２に示すように、Ｄ２Ｄ信号がアップリンクセルラリソース（すなわち、ＦＤＤのアップリンクキャリア及びＴＤＤのアップリンクサブフレーム）の部分を占有する。特に、Ｄ２Ｄ信号は、いくつかの周期的アップリンクサブフレームを占有する。正常なダウンリンクセルラ送信をサポートするために、アップリンクセルラ制御信号（すなわち、ＰＵＣＣＨ）がやはり送信されなくてはならない。すなわち、Ｄ２Ｄサブフレームでは、図２に示すように、セルラＰＵＣＣＨ信号が、ＦＤＭを通じてＤ２Ｄ信号で多重化されなくてはならない。一方、３ＧＰＰ  ＴＲ３８．８４３  Ｖ１２．０．１の「Ｓｔｕｄｙ  ｏｎ  ＬＴＥ  Ｄｅｖｉｃｅ  ｔｏ  Ｄｅｖｉｃｅ  Ｐｒｏｘｉｍｉｔｙ  Ｓｅｒｖｉｃｅｓ−ｒａｄｉｏ  ａｓｐｅｃｔｓ」に記載された帯域内放射干渉モデリングによると、セルラＰＵＣＣＨ信号は、Ｄ２Ｄ信号からの帯域内干渉を受ける。図１は、帯域内放射干渉モデルの一例を示す。
【０００３】
アップリンクＰＵＣＣＨ信号（例えば、ＰＵＣＣＨフォーマットに依存するＡＣＫ／ＮＡＣＫ、ＣＱＩフィードバック等）はダウンリンクデータ送信をサポートする際に重要な役割を果たすため、セルラ制御信号へのＤ２Ｄ信号からの帯域内放射干渉が解決されなくてはならない。本発明は、この技術的問題に対処することを目的とする。
【０００４】
図１は、３ＧＰＰ  ＴＲ３８．８４３  Ｖ１２．０．１の「Ｓｔｕｄｙ  ｏｎ  ＬＴＥ  Ｄｅｖｉｃｅ  ｔｏ  Ｄｅｖｉｃｅ  Ｐｒｏｘｉｍｉｔｙ  Ｓｅｒｖｉｃｅｓ−ｒａｄｉｏ  ａｓｐｅｃｔｓ」に記載されたモデリング方法について更新パラメータ｛Ｗ，Ｘ，Ｙ，Ｚ｝＝｛３，６，３，３｝のものに基づいて、帯域内干渉の一例を図示する。
【０００５】
これまで、この問題についての既存の最良の解決手段は、Ｄ２Ｄ信号に対する電力制御の利用を伴うものである。そのような技術的解決手段は、出願番号２０１４１００４１２６６．０の発明の名称「ｍｅｔｈｏｄ  ｏｆ  ｃｏｎｔｒｏｌｌｉｎｇ  ｔｒａｎｓｍｉｓｓｉｏｎ  ｐｏｗｅｒ」、及び出願番号２０１４１０１９２４９９．０の発明の名称「ｍｅｔｈｏｄ  ｏｆ  ｒｅｄｕｃｉｎｇ  Ｉｍｐａｃｔ  ｏｆ  Ｄ２Ｄ  Ｉｎ−Ｂａｎｄ  Ｉｎｔｅｒｆｅｒｅｎｃｅ  ｏｎ  Ｃｅｌｌｕｌａｒ  Ｔｒａｎｓｍｉｓｓｉｏｎ」の出願によって開示される。
【０００６】
第１の特許出願では、すなわち、電力制御方法について、その解決手段は、アップリンクセルラ信号に対して帯域内放射干渉を制御する際に良好に作用する。しかしながら、それはいくつかの不都合を有する。主な不都合は、電力制御を使用することによって、Ｄ２Ｄ信号送信電力が異なるＤ２Ｄユーザに対して均一でなく（基地局に接近するにつれてＤ２Ｄ信号送信電力が低下する）、したがってＤ２Ｄ送信範囲が均一ではない。このことはＤ２Ｄ送信に対して望ましい特性ではない。
【０００７】
第２の特許出願で提示された制限付きのリソース選択方法について、構成されたＤ２Ｄサブフレームは２つのグループに分けられ、各グループは基地局の構成通りに多数の近接するサブフレームを構成する。基地局から近位のＤ２Ｄユーザはあるグループ（グループ１とする）からの送信にＤ２Ｄリソースのみを選択可能であるが、基地局から遠位のＤ２Ｄユーザは他のグループ（グループ２とする）からＤ２Ｄ送信リソースのみを選択可能であり、それにより基地局へのＤ２Ｄユーザからの帯域内干渉は、主にＤ２Ｄリソースグループ１に限定される。この方法の主要な不都合は、Ｄ２Ｄリソースグループ２に対する帯域内干渉は大幅に軽減されるが、Ｄ２Ｄリソースグループ１全体の帯域内干渉は、基地局がＤ２Ｄリソースグループ１のサブフレーム全体の受信ＰＵＣＣＨをほとんど復号化できないように、さらに悪化するということである。アップリンクＰＵＣＣＨは、ＡＣＫ／ＮＡＣＫ、ＣＱＩフィードバック等の情報を伝達できるため、ＰＵＣＣＨ検出の崩壊によってダウンリンクスループットの損失をもたらす。
【発明の概要】
【０００８】
発明の背景部分及び既存の技術的問題の技術的解釈部分に記載された先行技術に基づいて、本発明は、無線通信システムの基地局において実施され、セルラ送信におけるＤ２Ｄ帯域内干渉の影響を低減する方法を提示し、この方法は以下の、
第１のゾーン及び第２のゾーンを含むリソースプールとしてＤ２Ｄ発見リソースプールを構成するように、基地局が第１のメッセージをユーザ機器に送信するステップであって、第１のゾーンは限定的Ｄ２Ｄリソースゾーンであり、第２のゾーンは非限定的Ｄ２Ｄリソースゾーンであり、第１のゾーン及び第２のゾーンはインターリーブ配置を有する、ステップを備える。
【０００９】
本発明による方法では、第１のゾーン及び第２のゾーンはインターリーブ配置を有するため、ダウンリンクスループットの損失が低減され、セルラ送信におけるＤ２Ｄ帯域内干渉の影響が低減される。
【００１０】
本発明の一実施形態では、第１のメッセージは、Ｄ２Ｄ発見リソースプールにおける第１のゾーン及び／又は第２のゾーンのインターリーブ配置のサブフレームの間隔及び総数を示す。
【００１１】
このようにして、基地局は、Ｄ２Ｄ発見リソースプールにおける第１のゾーン及び／又は第２のゾーンのインターリーブ配置のサブフレームの間隔及び総数、例えば、１／１、２／１又は１／３等を、ユーザ機器に通知できる。
【００１２】
本発明の一実施形態では、第１のメッセージは、Ｄ２Ｄ発見リソースプールにおける第１のゾーン及び／又は第２のゾーンの開始位置を含む。当業者は、その開始位置が任意であり、仕様でそれを指定する場合には含まれなくてもよいということが分かるはずである。
【００１３】
本発明の一実施形態では、方法は、
基地局に通信可能な形態で接続されたユーザ機器をユーザ機器の仕様バージョンに従って２つのグループに分割するステップであって、第１のグループがリリース１２前の仕様バージョンを使用するユーザ機器であり、第２のグループが、リリース１２の仕様バージョン又はリリース１２後の仕様バージョンを使用するユーザ機器である、ステップと、
データスケジューリングのフィードバックが、非限定的Ｄ２Ｄリソースゾーンである第２のゾーンのサブフレーム上に送信され得るように、基地局が、第１のグループのユーザ機器に対して構成されたＤ２Ｄ発見リソースプールに対応するタイミング内の限定的ダウンリンクデータスケジューリングを実行するステップ、及び／又は基地局が、第２のグループのユーザ機器に対して構成されたＤ２Ｄ発見リソースプールに対応するタイミングにおける正常なダウンリンクデータスケジューリングを実行してユーザ機器のフィードバックタイミングを調整するステップであって、それは正常なＡＣＫ／ＮＡＣＫフィードバックシーケンスによる第１のゾーンのサブフレーム上でフィードバックを、最も近位の次の第２のゾーンのサブフレームに送信してフィードバックを送信する必要がある、ステップと、
をさらに備える。
【００１４】
本発明の一実施形態では、ＦＤＤシステムにおいて、第（ｎ＋４）のアップリンクサブフレームが、非限定的Ｄ２Ｄリソースゾーンが位置しているサブフレームである場合、基地局は第ｎのダウンリンクサブフレーム上で送信される第１のグループのユーザ機器のダウンリンクデータを誘起する。
【００１５】
本発明の一実施形態では、セルラ送信のユーザ機器は、非限定的Ｄ２Ｄリソースゾーンである第２のゾーンのサブフレーム上で周波数分割多重を採用して、ダウンリンクデータスケジューリングのＡＣＫ／ＮＡＣＫフィードバック及びＤ２Ｄユーザ機器のＤ２Ｄ信号を送信する。
【００１６】
本発明の一実施形態では、Ｄ２Ｄ隣接発見ユーザ機器は、基地局によって送信されるダウンリンク基準信号測定結果及び閾値パラメータに従って、第１のタイプのユーザ機器又は第２のタイプのユーザ機器としてユーザ機器を特定し、
第１のゾーンのリソースは第１のタイプのユーザ機器に対して構成され、第１のタイプのユーザ機器はセルの中央に位置し、第１のタイプのユーザ機器は、Ｄ２Ｄ送信に対して第１のゾーンの限定的Ｄ２Ｄリソースゾーンのリソースをすぐに使用することができるように構成され、
第２のゾーンのリソースは第２のタイプのユーザ機器に対して構成され、第２のタイプのユーザ機器はセルの縁部に位置し、第２のタイプのユーザ機器は、Ｄ２Ｄ送信に対して第２のゾーンの非限定的Ｄ２Ｄリソースゾーンのリソースをすぐに使用することができるように構成される。
【００１７】
当業者であれば、第１のタイプのユーザ機器及び第２のタイプのユーザ機器が、上記の第１のグループ及び第２のグループとはここでは等しくないことが分かるはずである。第１のタイプのユーザ機器はセルの中央に位置するユーザ機器、すなわち、基地局から近位のユーザ機器のことを示し、第２のタイプのユーザ機器はセルの縁部に位置するユーザ機器、すなわち、基地局から遠位のユーザ機器のことを示す。
【００１８】
発明の第２の態様は、無線通信システムのユーザ機器において実施され、セルラ送信におけるＤ２Ｄ帯域内干渉の影響を低減する方法を提示し、この方法は、
第１のゾーン及び第２のゾーンを含むリソースプールとしてＤ２Ｄ発見リソースプールを構成するように、基地局から第１のメッセージを受信するステップであって、第１のゾーンは限定的Ｄ２Ｄリソースゾーンであり、第２のゾーンは非限定的Ｄ２Ｄリソースゾーンであり、第１のゾーン及び第２のゾーンはインターリーブ配置を有する、ステップを備える。
【００１９】
本発明の一実施形態では、第１のメッセージは、Ｄ２Ｄ発見リソースプールにおける第１のゾーン及び／又は第２のゾーンのインターリーブ配置のサブフレームの間隔及び総数を示す。
【００２０】
本発明の一実施形態では、第１のメッセージは、Ｄ２Ｄ発見リソースプールにおける第１のゾーン及び／又は第２のゾーンの開始位置を含む。
【００２１】
本発明の一実施形態では、方法は、
基地局に通信可能な形態で接続されたユーザ機器をユーザ機器の仕様バージョンに従って２つのグループに分割するステップであって、第１のグループがリリース１２前の仕様バージョンを使用するユーザ機器であり、第２のグループが、リリース１２の仕様バージョン又はリリース１２後の仕様バージョンを使用するユーザ機器である、ステップと、
ユーザ機器が第１のグループのユーザ機器である場合、構成されたＤ２Ｄ発見リソースプールに対応するタイミング内で限定的ダウンリンクデータスケジューリングを実行するステップであって、それによりデータスケジューリングのフィードバックが、非限定的Ｄ２Ｄリソースゾーンである第２のゾーンのサブフレーム上に送信され得る、ステップ、及び／又はユーザ機器が第２のグループのユーザ機器である場合、構成されたＤ２Ｄ発見リソースプールに対応するタイミング内で正常のダウンリンクデータスケジューリングを実行してユーザ機器に対するフィードバックタイミングを調整するステップであって、それは正常なＡＣＫ／ＮＡＣＫフィードバックタイミングに従って第１のゾーンのサブフレーム上のフィードバックを最も近位の次の第２のゾーンのサブフレームに送信してフィードバックを送信する必要がある、ステップと、
をさらに備える。
【００２２】
本発明の一実施形態では、
第２のグループに属するユーザ機器のダウンリンクデータが第ｎのサブフレーム上に送信され、第（ｎ＋４）のサブフレームは非限定的Ｄ２Ｄリソースゾーンが位置するサブフレームである場合には、データスケジューリングのフィードバックタイミングがデータスケジューリングのフィードバックタイミング調整では調整されず、
第２のグループに属するユーザ機器のダウンリンクデータが第ｎのサブフレーム上に送信され、第（ｎ＋４）のサブフレームは限定的Ｄ２Ｄリソースゾーンが位置するサブフレームであり、第（ｎ＋５）のサブフレームは非限定的Ｄ２Ｄリソースゾーンが位置するサブフレームである場合には、第（ｎ＋５）のサブフレームが、データスケジューリングのフィードバックタイミング調整においてデータスケジューリングのフィードバックを送信するために使用されるように調整される。
【００２３】
本発明の一実施形態では、セルラ送信のユーザ機器は、非限定的Ｄ２Ｄリソースゾーンである第２のゾーンのサブフレーム上で周波数分割多重を採用して、ダウンリンクデータスケジューリングのＡＣＫ／ＮＡＣＫフィードバック及びＤ２Ｄユーザ機器のＤ２Ｄ信号を送信する。
【００２４】
本発明の一実施形態では、Ｄ２Ｄ隣接発見ユーザ機器は、基地局によって送信されるダウンリンク基準信号測定結果及び閾値パラメータに従って、第１のタイプのユーザ機器又は第２のタイプのユーザ機器としてユーザ機器を特定し、
第１のゾーンのリソースは第１のタイプのユーザ機器に対して構成され、第１のタイプのユーザ機器はセルの中央に位置し、第１のタイプのユーザ機器は、Ｄ２Ｄ送信に対して第１のゾーンの限定的Ｄ２Ｄリソースゾーンのリソースをすぐに使用することができるように構成され、
第２のゾーンのリソースは第２のタイプのユーザ機器に対して構成され、第２のタイプのユーザ機器はセルの縁部に位置し、第２のタイプのユーザ機器は、Ｄ２Ｄ送信に対して第２のゾーンの非限定的Ｄ２Ｄリソースゾーンのリソースをすぐに使用することができるように構成される。
【００２５】
本発明による方法では、第１のゾーン及び第２のゾーンはインターリーブ配置を有するため、ダウンリンクスループットの損失が低減され、セルラ送信におけるＤ２Ｄ帯域内干渉の影響が低減される。
【００２６】
発明の他の構成、目的及び効果が、図面を参照する非限定的な実施形態の以下の詳細な説明の考察によってより明らかになる。
【図面の簡単な説明】
【００２７】
【図１】図１は、従来技術の信号電力漏洩に起因して発生する干渉についての概略図１００を示す。
【図２】図２は、従来技術のＤ２Ｄリソースプール構成についての概略図２００を示す。
【図３】図３は、従来技術のＤ２Ｄリソースプール構成についての他の概略図３００を示す。
【図４】図４は、本発明によるＤ２Ｄリソースプール構成についての概略図４００を示す。
【図５】図５は、本発明によるＤ２Ｄリソースプール構成についての他の概略図５００を示す。
【図６】図６は、無線通信システムの基地局において実施され、セルラ送信におけるＤ２Ｄ帯域内干渉の影響を低減する方法についてのフローチャート６００を示す。
【図７】図７は、無線通信システムのユーザ機器において実施され、セルラ送信におけるＤ２Ｄ帯域内干渉の影響を低減する方法についてのフローチャート７００を示す。
【００２８】
一致する若しくは同様の装置（モジュール）又はステップを、図面全体を通じて一致する又は同様の符号で表わす。
【発明を実施するための形態】
【００２９】
好ましい実施形態の上記の特定の説明は、発明の一部を構成する図面を参照して与えられる。図面は特定の実施形態を例として図示し、それにおいて発明を実施することができる。例示的実施形態は、発明のすべての実施形態を網羅するものではない。記載から分かるように、発明の範囲から逸脱することなく、他の実施形態も可能であり、又は構造的若しくは論理的変形例も可能である。したがって、以下の詳細な説明は限定的なものではなく、発明の範囲は添付の特許請求項において規定される。
【００３０】
図１は、従来技術の信号電力漏洩に起因して発生する干渉についての概略図１００を示す。図２は、従来技術のＤ２Ｄリソースプール構成についての概略図２００を示す。図３は、従来技術のＤ２Ｄリソースプール構成についての他の概略図３００を示す。これら３つの図はすべて発明についての背景で説明しているので、重複する説明はここで省略する。
【００３１】
この発明は、セルラ信号に対するＤ２Ｄ信号の帯域内干渉にかなりの程度まで対処するスキームを提示する。以下の図４−７は図３のＤ２Ｄリソース部分のみを示し、他の部分を示していない。
【００３２】
図４は、本発明によるＤ２Ｄリソースプール構成についての概略図４００を示し、図５は、本発明によるＤ２Ｄリソースプール構成についての他の概略図５００を示す。図４及び図５から分かるように、Ｄ２Ｄリソースにおける第１のゾーン及び第２のゾーンはインターリーブ配置を有し、その間の比率は１／１及び１／３となる場合があり、すなわち、それらは図３に示すような連続的なサブフレームではなく個別のサブフレームを含む。
【００３３】
図６は、無線通信システムの基地局において実施され、セルラ送信におけるＤ２Ｄ帯域内干渉の影響を低減する方法についてのフローチャート６００を示す。図６に示すように、無線通信システムの基地局において実施され、セルラ送信におけるＤ２Ｄ帯域内干渉の影響を低減する方法は、以下の
第１のゾーン及び第２のゾーンを含むリソースプールとしてＤ２Ｄ発見リソースプールを構成するように、基地局が第１のメッセージをユーザ機器に送信するステップであって、第１のゾーンは限定的Ｄ２Ｄリソースゾーンであり、第２のゾーンは非限定的Ｄ２Ｄリソースゾーンであり、第１のゾーン及び第２のゾーンはインターリーブ配置を有する、ステップ６１０を備える。
【００３４】
本発明による方法では、第１のゾーン及び第２のゾーンはインターリーブ配置を有するため、ダウンリンクスループットの損失が低減され、セルラ送信におけるＤ２Ｄ帯域内干渉の影響が低減される。
【００３５】
本発明の一実施形態では、第１のメッセージは、Ｄ２Ｄ発見リソースプールにおける第１のゾーン及び／又は第２のゾーンのインターリーブ配置のサブフレームの間隔及び総数を示す。
【００３６】
そのようにして、基地局は、Ｄ２Ｄ発見リソースプールにおける第１のゾーン及び／又は第２のゾーンのインターリーブ配置のサブフレームの間隔及び総数、例えば、１／１、２／１又は１／３等を、ユーザ機器に通知できる。
【００３７】
本発明の一実施形態では、第１のメッセージは、Ｄ２Ｄ発見リソースプールにおける第１及び／又は第２のゾーンの開始位置を含む。当業者であれば、その開始位置が任意であり、仕様でそれを指定する場合には含まれなくてもよいことが分かるはずである。
【００３８】
本発明の一実施形態では、方法は、
基地局に通信可能な形態で接続されたユーザ機器をユーザ機器の仕様バージョンに従って２つのグループに分割するステップであって、第１のグループがリリース１２前の仕様バージョンを使用するユーザ機器であり、第２のグループが、リリース１２の仕様バージョン又はリリース１２後の仕様バージョンを使用するユーザ機器である、ステップと、
データスケジューリングのフィードバックが、非限定的Ｄ２Ｄリソースゾーンである第２のゾーンのサブフレーム上で送信され得るように、基地局が、第１のグループのユーザ機器に対して構成されたＤ２Ｄ発見リソースプールに対応するタイミング内の限定的ダウンリンクデータスケジューリングを実行するステップ、及び／又は基地局が、第２のグループのユーザ機器に対して構成されたＤ２Ｄ発見リソースプールに対応するタイミングにおける正常なダウンリンクデータスケジューリングを実行してユーザ機器のフィードバックタイミングを調整するステップであって、それは正常なＡＣＫ／ＮＡＣＫフィードバックシーケンスによる第１のゾーンのサブフレーム上のフィードバックを最も近位の次の第２のゾーンのサブフレームに送信してフィードバックを送信する必要がある、ステップと
をさらに備える。
【００３９】
本発明の一実施形態では、ＦＤＤシステムにおいて、第（ｎ＋４）のアップリンクサブフレームが、非限定的Ｄ２Ｄリソースゾーンが位置しているサブフレームである場合、基地局は第ｎのダウンリンクサブフレーム上で送信される第１のグループのユーザ機器のダウンリンクデータを誘起する。
【００４０】
本発明の一実施形態では、セルラ送信のユーザ機器は、非限定的Ｄ２Ｄリソースゾーンである第２のゾーンのサブフレーム上で周波数分割多重を採用して、ダウンリンクデータスケジューリングのＡＣＫ／ＮＡＣＫフィードバック及びＤ２Ｄユーザ機器のＤ２Ｄ信号を送信する。
【００４１】
本発明の一実施形態では、Ｄ２Ｄ隣接発見ユーザ機器は、基地局によって送信されるダウンリンク基準信号測定結果及び閾値パラメータに従って、第１のタイプのユーザ機器又は第２のタイプのユーザ機器としてユーザ機器を特定し、
第１のゾーンのリソースは第１のタイプのユーザ機器に対して構成され、第１のタイプのユーザ機器はセルの中央に位置し、第１のタイプのユーザ機器は、Ｄ２Ｄ送信に対して第１のゾーンの限定的Ｄ２Ｄリソースゾーンのリソースをすぐに使用することができるように構成され、
第２のゾーンのリソースは第２のタイプのユーザ機器に対して構成され、第２のタイプのユーザ機器はセルの縁部に位置し、第２のタイプのユーザ機器は、Ｄ２Ｄ送信に対して第２のゾーンの非限定的Ｄ２Ｄリソースゾーンのリソースをすぐに使用することができるように構成される。
【００４２】
当業者は、第１のタイプのユーザ機器及び第２のタイプのユーザ機器が、上記の第１のグループ及び第２のグループとはここでは等しくないということが分かるはずである。第１のタイプのユーザ機器はセルの中央に位置するユーザ機器、すなわち、基地局から近位のユーザ機器のことを示し、第２のタイプのユーザ機器はセルの縁部に位置するユーザ機器、すなわち、基地局から遠位のユーザ機器のことを示す。
【００４３】
図７は、無線通信システムのユーザ機器において実施され、セルラ送信におけるＤ２Ｄ帯域内干渉の影響を低減する方法についてのフローチャート７００を示す。図７に示すように、無線通信システムのユーザ機器において実施され、セルラ送信におけるＤ２Ｄ帯域内干渉の影響を低減する方法は、
第１のゾーン及び第２のゾーンを含むリソースプールとしてＤ２Ｄ発見リソースプールを構成するように、基地局から第１のメッセージを受信するステップであって、第１のゾーンは限定的Ｄ２Ｄリソースゾーンであり、第２のゾーンは非限定的Ｄ２Ｄリソースゾーンであり、第１のゾーン及び第２のゾーンはインターリーブ配置を有する、ステップ７１０を備える。
【００４４】
本発明の一実施形態では、第１のメッセージは、Ｄ２Ｄ発見リソースプールにおける第１のゾーン及び／又は第２のゾーンのインターリーブ配置のサブフレームの間隔及び総数を示す。
【００４５】
本発明の一実施形態では、第１のメッセージは、Ｄ２Ｄ発見リソースプールにおける第１及び／又は第２のゾーンの開始位置を含む。
【００４６】
本発明の一実施形態では、方法は、
基地局に通信可能な形態で接続されたユーザ機器をユーザ機器の仕様バージョンに従って２つのグループに分割するステップであって、第１のグループがリリース１２前の仕様バージョンを使用するユーザ機器であり、第２のグループが、リリース１２の仕様バージョン又はリリース１２後の仕様バージョンを使用するユーザ機器である、ステップと、
ユーザ機器が第１のグループのユーザ機器である場合、構成されたＤ２Ｄ発見リソースプールに対応するタイミング内で限定的ダウンリンクデータスケジューリングを実行するステップであって、それによりデータスケジューリングのフィードバックが、非限定的Ｄ２Ｄリソースゾーンである第２のゾーンのサブフレーム上に送信され得る、ステップ、及び／又はユーザ機器が第２のグループのユーザ機器である場合、構成されたＤ２Ｄ発見リソースプールに対応するタイミング内で正常のダウンリンクデータスケジューリングを実行してユーザ機器に対してフィードバックタイミングを調整するステップであって、それは正常なＡＣＫ／ＮＡＣＫフィードバックタイミングによる第１のゾーンのサブフレーム上のフィードバックを最も近位の次の第２のゾーンのサブフレームに送信してフィードバックを送信する必要がある、ステップと
をさらに備える。
【００４７】
本発明の一実施形態では、
第２のグループに属するユーザ機器のダウンリンクデータが第ｎのサブフレーム上に送信され、第（ｎ＋４）のサブフレームは非限定的Ｄ２Ｄリソースゾーンが位置するサブフレームである場合には、データスケジューリングのフィードバックタイミングがデータスケジューリングのフィードバックタイミング調整では調整されず、
第２のグループに属するユーザ機器のダウンリンクデータが第ｎのサブフレーム上に送信され、第（ｎ＋４）のサブフレームは限定的Ｄ２Ｄリソースゾーンが位置するサブフレームであり、第（ｎ＋５）のサブフレームは非限定的Ｄ２Ｄリソースゾーンが位置するサブフレームである場合には、第（ｎ＋５）のサブフレームが、データスケジューリングのフィードバックタイミング調整においてデータスケジューリングのフィードバックを送信するために使用されるように調整される。
【００４８】
本発明の一実施形態では、セルラ送信のユーザ機器は、非限定的Ｄ２Ｄリソースゾーンである第２のゾーンのサブフレーム上で周波数分割多重を採用して、ダウンリンクデータスケジューリングのＡＣＫ／ＮＡＣＫフィードバック及びＤ２Ｄユーザ機器のＤ２Ｄ信号を送信する。
【００４９】
本発明の一実施形態では、Ｄ２Ｄ隣接発見ユーザ機器は、基地局によって送信されるダウンリンク基準信号測定結果及び閾値パラメータに従って、第１のタイプのユーザ機器又は第２のタイプのユーザ機器としてユーザ機器を特定し、
第１のゾーンのリソースは第１のタイプのユーザ機器に対して構成され、第１のタイプのユーザ機器はセルの中央に位置し、第１のタイプのユーザ機器は、Ｄ２Ｄ送信に対して第１のゾーンの限定的Ｄ２Ｄリソースゾーンのリソースをすぐに使用することができるように構成され、
第２のゾーンのリソースは第２のタイプのユーザ機器に対して構成され、第２のタイプのユーザ機器はセルの縁部に位置し、第２のタイプのユーザ機器は、Ｄ２Ｄ送信に対して第２のゾーンの非限定的Ｄ２Ｄリソースゾーンのリソースをすぐに使用することができるように構成される。
【００５０】
本発明による方法では、第１のゾーン及び第２のゾーンはインターリーブ配置を有するため、ダウンリンクスループットの損失が低減され、セルラ送信におけるＤ２Ｄ帯域内干渉の影響が低減される。
【００５１】
当業者であれば、明らかに発明が前述の例示的な実施形態に限定されず、発明の概念及び本質から逸脱することなく他の特定の形式で具現化され得ることが分かるはずである。したがって、実施形態は例示的かつ非限定的なものと解釈されるべきである。さらに、明らかに用語の「備える」は他の要素又はステップを除外せず、用語の「ａ」又は「ａｎ」は複数のものを除外しない。装置の請求項に記述される複数の要素は、単一の要素として代替的に具現化されてもよい。用語の「第１」、「第２」等は、名称の区別を意図するものであり、任意の特定の順序を示唆するものではない。
【図１】
0006479958.tif 000002
【図２】
0006479958.tif 000003
【図３】
0006479958.tif 000004
【図４】
0006479958.tif 000005
【図５】
0006479958.tif 000006
【図６】
0006479958.tif 000007
【図７】
0006479958.tif 000008